(57)【要約】【課題】  エンジンの駆動力で発電する屋外電源装置において、地震の揺れを緩和して燃料タンクの破損及び燃料漏れを防止する。【解決手段】  キャビネット１内の左右位置に所定高さの取付台１ｃを設け、その左右の取付台１ｃの間に燃料タンク４を収容した防油堤５を配置し、その防油堤５の左右の一部を前記取付台１ｃに防振ゴム６を介して設置して防油堤５の底面を浮いた状態にし、防油堤５の揺動の変位を所定幅に規制する規制具７を設ける。これによって、地震が発生しても、その揺れが防振ゴム６で吸収・減衰・緩和されて燃料タンク４に小さく伝わり、燃料タンク４の破損や燃料漏れが起き難くなる。揺れの変位が非常に大きい場合は、防油堤５が規制具７に接触して動きが所定範囲に規制され、防振ゴム６の著しい変形や破断を防止する。【選択図】  図２
0003181450.tif 000002
【実用新案登録請求の範囲】
【請求項１】
発電機と、発電機を駆動するエンジンと、エンジンに燃料を供給する燃料タンクをキャビネットに収容して屋外に設置される屋外電源装置において、キャビネット内の左右位置に所定高さの取付台を設け、その左右の取付台の間に燃料タンクを収容した防油容器を配置し、その防油容器の左右の一部を前記取付台に防振ゴムを介して設置し、防油容器の底面を浮いた状態にして振動を防振ゴムで吸収できる構造にしたことを特徴とする、屋外電源装置の耐震構造。
【請求項２】
防油容器の揺動の変位を所定幅に規制する規制具を設けた、請求項１記載の屋外電源装置の耐震構造。
【請求項３】
防油容器は、その左右の前後側面に防振ゴムを下部に備えたＬ字具を固着し、その防振ゴムを取付台の上面に取り付けた構造で、規制具は、両側を下方に折り曲げて側方に張り出させた形状で、前記Ｌ字具の上方から被せるようにして取付台に取り付け、Ｌ字具と規制具の間に間隔を形成した構造である、請求項２記載の屋外電源装置の耐震構造。
【考案の詳細な説明】
【技術分野】
【０００１】
本考案は、エンジンの駆動力で発電する屋外電源装置に関し、詳しくは地震の揺れによる燃料タンクの破損や燃料漏れを防止する技術に関する。
【背景技術】
【０００２】
従来の屋外電源装置は、発電機と、発電機を駆動するエンジンと、エンジンに燃料を供給する燃料タンクと、制御盤その他機器をキャビネットに収容した構造が一般的で（例えば特許文献１参照）、停電時に信号機等の設備に電力を供給するための非常用電源として利用されている。近年では、大震災によって長時間運転に対応できる装置が製作されるようになり、大型の装置は燃料タンクの重量が１００ｋｇを超える場合もある。
【０００３】
ところで、前記のような屋外電源装置は、燃料タンクがキャビネットに固定されて地震の振れが直接伝播する構造となっているから、大量の燃料が入っている状態の大型の燃料タンクでは揺れに耐えられずに破損することがあった。また、その破損によって燃料が大量に漏れると、燃料不足を起こして長時間運転ができなくなる問題があった。
【先行技術文献】
【特許文献】
【０００４】
【特許文献１】実用新案登録第３１４３６４０号公報
【考案の概要】
【考案が解決しようとする課題】
【０００５】
本考案が解決しようとする課題は、従来のこれらの問題点を解消し、地震の揺れを緩和して燃料タンクの破損及び燃料漏れを防止することにある。
【課題を解決するための手段】
【０００６】
かかる課題を解決した本考案の構成は、
１）  発電機と、発電機を駆動するエンジンと、エンジンに燃料を供給する燃料タンクをキャビネットに収容して屋外に設置される屋外電源装置において、キャビネット内の左右位置に所定高さの取付台を設け、その左右の取付台の間に燃料タンクを収容した防油容器を配置し、その防油容器の左右の一部を前記取付台に防振ゴムを介して設置し、防油容器の底面を浮いた状態にして振動を防振ゴムで吸収できる構造にしたことを特徴とする、屋外電源装置の耐震構造
２）  防油容器の揺動の変位を所定幅に規制する規制具を設けた、前記１）記載の屋外電源装置の耐震構造
３）  防油容器は、その左右の前後側面に防振ゴムを下部に備えたＬ字具を固着し、その防振ゴムを取付台の上面に取り付けた構造で、規制具は、両側を下方に折り曲げて側方に張り出させた形状で、前記Ｌ字具の上方から被せるようにして取付台に取り付け、Ｌ字具と規制具の間に間隔を形成した構造である、前記２）記載の屋外電源装置の耐震構造
にある。
【考案の効果】
【０００７】
本考案によれば、地震が発生しても、その揺れが防振ゴムで吸収・減衰・緩和されて燃料タンクに小さく伝わり、燃料タンクが破損し難くなる。それによって燃料漏れが起き難くなり、規模の大きい地震による停電時でも確実に長時間運転できるようになる。また、防油容器の揺動の変位を所定幅に規制する規制具を設けたものは、揺れの変位が非常に大きい場合、防油容器が規制具に接触して動きが所定範囲に規制され、防振ゴムの著しい変形や破断を防止できるようになる。
【図面の簡単な説明】
【０００８】
【図１】実施例の屋外電源装置の正面図である。
【図２】実施例の燃料タンクの一部切欠き側面図である。
【図３】実施例の耐震構造の断面図である。
【図４】実施例の防振ゴムの断面図である。
【図５】実施例の耐震構造の平面図である。
【図６】実施例の耐震構造の側面図である。
【考案を実施するための形態】
【０００９】
以下、本考案を実施するための形態を実施例と図面に基づいて具体的に説明する。
【実施例】
【００１０】
本実施例の屋外電源装置を図１に示す。図中、１はキャビネット、１ａは扉、１ｂはキャビネット１を支持する台床、２は発電機、３はエンジン、４は燃料タンク、５は防油堤（防油容器）、６は防振ゴム、７は規制具、８は制御盤、９はエンジン３の排気音を減衰する消音器、１０はキャビネット１内に冷気を導入する吸気ダクト、１１はエンジン３始動用の蓄電池である。
【００１１】
防油堤５は、図２，３に示すように、上面が開放された箱型で、その左右の前後側面にボルト穴５ｂ付きのＬ字具５ａを固着し、内部に燃料タンク４を収容している。
【００１２】
防振ゴム６は、図４に示すように、円柱状のゴム体６ａと、ゴム体６ａの上面に固着したボルト６ｂ付きの上部金具６ｃと、ゴム体６ａの下面に固着したボルト穴６ｄ付きの下部金具６ｅで構成されている。上部金具６ｃと下部金具６ｅは連結されていない。
【００１３】
その防振ゴム６のボルト６ｂをＬ字具５ａのボルト穴５ｂに下面から通してナット５ｃで取り付け、その防振ゴム６の下部金具６ｅを取付台１ｃ（台床１ｂの上部）にボルト１ｄとナット１ｅで取り付け、防油堤５を底面が浮いた状態に設置している。
【００１４】
規制具７は、図３，５，６に示すように、両側を下方に折り曲げて側方に張り出させた形状で、Ｌ字具５ａの上方から被せるようにしてボルト７ａとナット７ｂで取付台１ｃに取り付け、Ｌ字具５ａと規制具７の間に５ｍｍ程の間隔を形成している。図中、Ａは燃料である。
【００１５】
本実施例では、制御盤８が停電を検知すると、エンジン３が自動的に始動して発電機２が作動し、発電された電気が信号機等の設備に供給される。その後、停電が解消されるか又は燃料タンク４内の燃料Ａが尽きるまで発電し続ける。
【００１６】
地震が発生した場合は、その揺れがキャビネット１の台床１ｂを通じて内部の機器に伝播するが、途中で防振ゴム６によって吸収・減衰・緩和されて燃料タンク４及び防油堤５に対しては小さく伝わり、燃料タンク４は破損し難くなる。それによって燃料Ａの漏れが起き難くなり、規模の大きい地震による停電時でも確実に長時間運転できる。
【００１７】
揺れの変位が非常に大きい場合は、防油堤５のＬ字具５ａ又は防振ゴム６が規制具７に接触して上下前後左右の動きが所定範囲に規制され、防振ゴム６の著しい変形や破断が防止される。
【産業上の利用可能性】
【００１８】
本考案の技術は、屋外に設置して停電時に信号機等の設備に電力を供給する非常用電源に利用される。
【符号の説明】
【００１９】
１    キャビネット
１ａ  扉
１ｂ  台床
１ｃ  取付台
１ｄ  ボルト
１ｅ  ナット
２    発電機
３    エンジン
４    燃料タンク
５    防油堤（防油容器）
５ａ  Ｌ字具
５ｂ  ボルト穴
５ｃ  ナット
６    防振ゴム
６ａ  ゴム体
６ｂ  ボルト
６ｃ  上部金具
６ｄ  ボルト穴
６ｅ  下部金具
７    規制具
７ａ  ボルト
７ｂ  ナット
８    制御盤
９    消音器
１０  吸気ダクト
１１  蓄電池
Ａ    燃料
【図１】
0003181450.tif 000003
【図２】
0003181450.tif 000004
【図３】
0003181450.tif 000005
【図４】
0003181450.tif 000006
【図５】
0003181450.tif 000007
【図６】
0003181450.tif 000008